(57)【特許請求の範囲】
【請求項１】
２枚の対向する天面外フラップと２枚の対向する天面内フラップを有する紙製の通い箱であって、２枚の天面外フラップはそれぞれが先端側のスリット幅分を除いて天面全体を覆う寸法を有し、第１の天面フラップの表面には通い箱の発送先の宛名が表示され、第２の天面外フラップの表面には通い箱の発送元の宛名が表示されてなり、２枚の対向する天面内フラップは、互いにロックする形状に形成されてなり、第１の天面外フラップは、フラップの先端に差し込みと繋止舌片用スリット、フラップの後端に差し込み用スリットを有し、第２の天面外フラップは、フラップの先端に差し込み、フラップの後端に差し込み用スリットと繋止舌片を有し、第１の天面フラップを外側、第２の天面フラップを内側に重ねたとき、第１の天面フラップ先端の差し込みが第２の天面フラップ後端の差し込みスリットに差し込まれるとともに、第２のフラップ後端の繋止舌片が第１の天面フラップ先端の繋止舌片用スリット４に差し込まれ、第１の天面フラップを内側、第２の天面フラップを外側に重ねたとき、第２の天面フラップ先端の差し込みが第１の天面フラップ後端の差し込み用スリットに差し込まれることを特徴とする通い箱。
【発明の詳細な説明】
【０００１】
【発明の属する技術分野】
本発明は、通い箱に関する。さらに詳しくは、本発明は、同一形状、同一数量の物品を箱詰めして発送と返送を行う用途に好適に用いることができる通い箱に関する。
【０００２】
【従来の技術】
放射線の個人被ばく線量の測定に用いられる線量計、いわゆるバッジは、放射線被ばく線量当量測定者から、病院、各種の研究機関、工場、原子炉施設などに発送され、これらの施設で放射線を取り扱う作業者が一定期間着用したのち、ふたたび放射線被ばく線量当量測定者に返送されて被ばく線量が測定され、作業者の健康管理に役立てられている。このような線量計は、発送されるときと返送されるときは、同一形状、同一数量である。線量計以外にも、屋外暴露耐候性試験片のように、暴露の前後で形状、数量が変わらず、特殊写真フィルムのように、露光の前後で形状、数量が変わらず、発送と返送が行われる種々の物品が存在する。
このような発送時と返送時に同一形状、同一数量である物品は、同一の箱を発送と返送に用いることができるはずである。しかし、線量計を例にとると、使用者が線量計サービス業者から線量計を受け取ってから、返送するまでの期間が比較的長いこと、線量計を出し入れするために箱の開閉が繰り返し行われて箱が傷む場合が多いこと、箱に貼付された発送用の送り状を剥がして、返送用の送り状を貼付する手間が面倒なことなどの理由から、新しい箱に詰めて返送される場合が多かった。
このために、同一形状、同一数量の物品の発送と返送に使用することができる使い勝手のよい通い箱が求められていた。
【０００３】
【発明が解決しようとする課題】
本発明は、同一形状、同一数量の物品を箱詰めして発送と返送を行う用途に好適に用いることができる通い箱を提供することを目的としてなされたものである。
【０００４】
【課題を解決するための手段】
本発明者は、上記の課題を解決すべく鋭意研究を重ねた結果、先端に差し込みを備えた天面全体を覆う寸法の２枚の天面外フラップと繋止舌片を有する通い箱は、発送時には第１の天面外フラップを外側にして繋止舌片で繋止し、返送時には第２の天面外フラップを外側にすることにより、同一形状、同一数量の物品の発送と返送を好都合に行い得ることを見いだし、この知見に基づいて本発明を完成するに至った。
すなわち、本発明は、２枚の対向する天面外フラップと２枚の対向する天面内フラップを有する紙製の通い箱であって、２枚の天面外フラップはそれぞれが先端側のスリット幅分を除いて天面全体を覆う寸法を有し、第１の天面フラップの表面には通い箱の発送先の宛名が表示され、第２の天面外フラップの表面には通い箱の発送元の宛名が表示されてなり、２枚の対向する天面内フラップは、互いにロックする形状に形成されてなり、第１の天面外フラップは、フラップの先端に差し込みと繋止舌片用スリット、フラップの後端に差し込み用スリットを有し、第２の天面外フラップは、フラップの先端に差し込み、フラップの後端に差し込み用スリットと繋止舌片を有し、第１の天面フラップを外側、第２の天面フラップを内側に重ねたとき、第１の天面フラップ先端の差し込みが第２の天面フラップ後端の差し込みスリットに差し込まれるとともに、第２のフラップ後端の繋止舌片が第１の天面フラップ先端の繋止舌片用スリット４に差し込まれ、第１の天面フラップを内側、第２の天面フラップを外側に重ねたとき、第２の天面フラップ先端の差し込みが第１の天面フラップ後端の差し込み用スリットに差し込まれることを特徴とする通い箱を提供するものである。
【０００５】
【発明の実施の形態】
図１は、本発明の通い箱の一態様の展開図である。本態様の通い箱は、第１の天面外フラップ１と、第２の天面外フラップ２を有し、２枚の天面外フラップは、いずれも先端側のスリット幅分を除いて天面全体を覆う寸法を有している。第１の天面外フラップは、フラップの先端に差し込み３と繋止舌片用スリット４を有し、フラップの後端に差し込み用スリット５を有している。第２の天面外フラップは、フラップの先端に差し込み６を有し、フラップの後端に差し込み用スリット７と繋止舌片８を有している。本態様の通い箱は、継ぎしろ９で糊貼りして箱の形状とする。
【０００６】
図２(ａ)及び図２(ｂ)は、図１に示す態様の通い箱の斜視図であり、図２(ａ)は、発送時に第１の天面外フラップを閉じる前の状態を示し、図２(ｂ)は、発送時に第１の天面外フラップを閉じた状態を示す。本発明の通い箱は、発送時には、第１の天面外フラップ１を外側に、第２の天面外フラップ２を内側に重ねることが好ましい。繋止舌片８を通い箱の外側に開き、第２の天面外フラップの後端の差し込み用スリット７に第１の天面外フラップの先端の差し込み３を差し込む。次いで、繋止舌片８を第１の天面外フラップの先端の繋止舌片用スリット４に差し込んで、第１の天面外フラップを固定する。第１の天面外フラップには、送り状を貼着することができる。近年は、運送業者の荷扱いも丁寧になっているので、通常はこの状態で発送することができるが、必要に応じてさらに粘着テープなどにより第１の天面外フラップを固定することもできる。
【０００７】
図３(ａ)及び図３(ｂ)は、図１に示す態様の通い箱の斜視図であり、図３(ａ)は、返送時に第２の天面外フラップを閉じる前の状態を示し、図３(ｂ)は、返送時に第２の天面外フラップを閉じた状態を示す。本発明の通い箱は、返送時には、第１の天面外フラップ１を内側に、第２の天面外フラップ２を外側に重ねることが好ましい。第１の天面外フラップの後端の差し込み用スリット５に、第２の天面外フラップの先端の差し込み６を差し込む。返送時の通い箱の宛先は、発送時の発送元である場合が多いので、あらかじめ第２の天面外フラップに、宛先を印刷しておき、手間を省くことができる。返送時には、第２の天面外フラップを粘着テープなどにより固定することが好ましい。返送時には、繋止舌片８は、第１の天面外フラップの外側に重ねて、粘着テープなどにより固定することができ、あるいは、繋止舌片用スリットに差し込むこともできる。
【０００８】
本発明の通い箱は、２枚の天面内フラップを有する。天面内フラップの形状に特に制限はないが、図１に示す態様の通い箱においては、２枚の天面内フラップ１０及び１１は、互いにロックする形状となっている。２枚の天面内フラップを互いにロックすることにより、内容物を安定して収納し、保持することができる。
本発明の通い箱において、底面フラップの形状に特に制限はなく、例えば、底面差し込みフラップ、底面外フラップ突き合わせ、底面内外フラップ突き合わせ、底面外フラップ重ね合わせかつ底面内フラップ突き合わせ、スナップロック、オートロックなどとすることができる。図１に示す態様においては、底面内フラップの１枚１２が底面の大部分を覆う形状を有する。底面内フラップの１枚を、底面の大部分を覆う形状とすることにより、内容物を安定して収納し、保持することができる。また、図１に示す態様においては、底面内フラップの他の１枚１３は短く、底面外フラップ１４及び１５には、内折り罫線１６及び１７が設けられている。底面外フラップに内折り罫線を設けて折り重ねることにより、本態様の通い箱を、折り畳み箱とすることができる。折り畳み箱は、物品を収納していない状態では折り畳むことができるので、発送元において、物品を収納する前には折り畳んで在庫することができ、受取人が返送するまでの期間も、物品をすべて取り出した場合は、通い箱を折り畳んで保管することができるので、通い箱の占めるスペースを節減することができる。さらに、本発明の通い箱は、構造が丈夫で、繋止舌片により第１の天面外フラップを閉じた状態で固定することができるので、返送するまでの期間、物品の収納容器として利用することもできる。
【０００９】
図１に示す態様の通い箱においては、底面外フラップと底面内フラップの１組ずつを、図中のＡとＡ'の位置及び図中のＢとＢ'の位置において、それぞれ接着することが好ましい。底面外フラップと底面内フラップの１組ずつを、図中のＡとＡ'の位置及び図中のＢとＢ'の位置において、それぞれ接着することにより、折り畳み箱を開いたときに、底面外フラップと底面内フラップが自動的に所定の位置に移動し、２枚の底面外フラップが互いにロックされ、手間をかけることなく、物品を収納し得る状態とすることができる。
本発明の通い箱の形状と寸法に特に制限はなく、収納する物品の形状、寸法などに応じて適宜選択することができる。本発明の通い箱の材質に特に制限はなく、例えば、アイボリー、カード、マニラボール、白ボール、黄ボール、チップボール、色ボールなどの板紙や、両面段ボール、複両面段ボール、複々両面段ボールなどの段ボールなどを挙げることができる。本発明の通い箱の製造方法に特に制限はなく、例えば、用途に応じて、強度、外観などを考慮して選択した紙に、必要に応じて、オフセット印刷、グラビヤ印刷、フレキソ印刷などにより印刷を施し、所定の形状に型抜きと罫線入れを行い、継ぎしろで糊貼りする。図１に示す態様の通い箱においては、さらに、底面外フラップと底面内フラップの１組ずつを糊貼りなどにより接着する。
【００１０】
【発明の効果】
本発明の通い箱は、２枚の天面外フラップを有し、発送時と返送時にそれぞれ異なる天面外フラップを外側に重ねるので、同一形状、同一数量の物品を箱詰めして発送と返送を行う用途に好適に用いることができる。本発明の通い箱は、折り畳み箱なので、物品を収納しない状態では狭い場所に保管することができる。また、天面外フラップは繰り返し開閉し、閉じたときは繋止舌片で天面外フラップを固定することができるので、返送までの物品の収納容器としても利用することができる。
【図面の簡単な説明】
【図１】図１は、本発明の通い箱の一態様の展開図である。
【図２】図２は、図１に示す態様の通い箱の斜視図である。
【図３】図３は、図１に示す態様の通い箱の斜視図である。
【符号の説明】
１  第１の天面外フラップ
２  第２の天面外フラップ
３  差し込み
４  繋止舌片用スリット
５  差し込み用スリット
６  差し込み
７  差し込み用スリット
８  繋止舌片
９  継ぎしろ
１０  天面内フラップ
１１  天面内フラップ
１２  底面内フラップ
１３  底面内フラップ
１４  底面外フラップ
１５  底面外フラップ
１６  内折り罫線
１７  内折り罫線
【図１】
0003659625.tif 000002
【図２】
0003659625.tif 000003
【図３】
0003659625.tif 000004